(57)【要約】【課題】  前面透明板に輪郭が綺麗な透視領域を形成できると共に該透視領域の輪郭を綺麗な状態で維持できる自動販売機を提供する。【解決手段】  前面透明板１１の裏面に非透視板１２を重ね、該非透視板１２に設けられた複数の開口１２ａによってその形状に準じた複数の透視領域ＰＰを前面透明板１１に形成する。非透視板１２と別部品として非透視板１２を製作することにより輪郭が綺麗に仕上げられた開口１２ａ、即ち、輪郭が綺麗に仕上げられた透視領域ＰＰを前面透明板１１に形成できるので、自動販売機で商品を購入しようとする者が販売可能商品を確認するために透視領域ＰＰを通じてサンプルシート１５の表示内容を視認するときに透視領域ＰＰの輪郭に依存して購買者に対して不快な印象を与えることや購買意欲の低下を招来することを防止できる。【選択図】  図４
2006285369.tif 000002
【特許請求の範囲】
【請求項１】
前面透明板に形成された複数の透視領域の裏面と向き合うようにサンプルシートを配した自動販売機であって、
複数の透視領域は前面透明板の裏面に重ねられた非透視板により形成されていて、該非透視板は複数の透視領域それぞれを定める複数の開口を有する、
ことを特徴とする自動販売機。
【請求項２】
前面透明板は複数の透視領域それぞれに対応した複数のボタン取付孔を有し、非透視板は複数のボタン取付孔それぞれに整合した貫通孔を有しており、
前面透明板の裏面に非透視板を重ねて前面透明板のボタン取付孔と非透視板の貫通孔に商品選択ボタンを取り付けることによって前面透明板と非透視板とが結合されている、
ことを特徴とする請求項１に記載の自動販売機。
【請求項３】
前面透視板は裏側窪みを有する複数の張出部を有し、非透視板の複数の開口は複数の裏側窪みそれぞれに対応している、
ことを特徴とする請求項１または２に記載の自動販売機。
【請求項４】
非透視板の複数の開口には複数の裏側窪みそれぞれに部分的に嵌まり込む複数の嵌合部が設けられ、各透視領域は開口から嵌合部を除いた部分によって定められている、
ことを特徴とする請求項３に記載の自動販売機。
【発明の詳細な説明】
【技術分野】
【０００１】
本発明は、サンプルシートによって販売可能商品を購買者に明示する自動販売機に関する。
【背景技術】
【０００２】
前面透明板の裏側に陳列した立体的なサンプルによって販売可能商品を購買者に明示する自動販売機とは別に、前面透明板の裏面に配したサンプルシートによって販売可能商品を購買者に明示する自動販売機が存在する。このサンプルシートは所定寸法のプラスチックシートの表面に商品の写真や価格等を印刷したものであり、カップ入り飲料を販売する自動販売機を初めとし、アイスクリームを販売する自動販売機や容器入り飲料を販売する自動販売機等にも広く使用されている。
【０００３】
図１はサンプルシートを用いた従来の自動販売機の部分前面図、図２は図１のａ−ａ線拡大断面図である。図中の符号１は前面透明板、２は非透視層、３は商品選択ボタン、４はサンプルシートである。
【０００４】
前面透明板１は平坦であり、その裏面には格子状を成す非透視層２が設けられている。この非透視層２は前面透明板１に複数の透視領域ＰＰを所定配列で形成するためのもので、該非透視層２は一般には前面透明板１の裏面に有色塗料を所定パターンで塗布し乾燥することにより作成されている。つまり、塗料が塗布されていない領域は透視領域ＰＰとなり、塗料が塗布された領域は非透視領域ＵＰＰとなる。
【０００５】
商品選択ボタン３は各透視領域ＰＰの下側に設けられている。サンプルシート１５は透視領域ＰＰとほぼ同じ形状を有し、商品の写真や価格等が印刷された表面が各透視領域ＰＰの裏面と向き合うように適当なシート取付具を用いて配されている。
【特許文献１】実公平７−５１６７１号公報
【発明の開示】
【発明が解決しようとする課題】
【０００６】
自動販売機で商品を購入しようとする者は販売可能商品を確認するために各透視領域ＰＰを通じてサンプルシート１５の表示内容を視認することになるが、この認識時には透視領域ＰＰの輪郭も必然的に視覚に入る。透視領域ＰＰの輪郭が綺麗な状態にあるときには問題にはならないが、そうでないときには前記認識時に購買者に対して不快な印象を与えてしまい、これを原因として購買意欲の低下を招来する恐れがある。
【０００７】
先に述べたようにこの透視領域ＰＰは塗装により作成された非透視層２によって形成されたものであるが、塗装によって輪郭が綺麗な透視領域ＰＰを得ることは作業上極めて難しく、塗装時に滲みや汚れ等が生じたときこれらを排除するための作業も別途必要となるためにコストも意外とかかる。
【０００８】
また、塗装により作成された非透視層２は、温度，湿度，紫外線等の影響で経時的に劣化して見栄えを損ねる恐れがあるし、前面透明板１が叩かれる等して衝撃を受けたときに割れや欠け等を生じて輪郭が崩れる恐れも否定できない。
【０００９】
本発明は前記事情に鑑みて創作されたもので、その目的とするところは、前面透明板に輪郭が綺麗な透視領域を形成できると共に該透視領域の輪郭を綺麗な状態で維持できる自動販売機を提供することにある。
【課題を解決するための手段】
【００１０】
前記目的を達成するため、本発明は、前面透明板に形成された複数の透視領域の裏面と向き合うようにサンプルシートを配した自動販売機であって、複数の透視領域は前面透明板の裏面に重ねられた非透視板により形成されていて、該非透視板は複数の透視領域それぞれを定める複数の開口を有する、ことをその特徴とする。
【００１１】
この自動販売機によれば、前面透明板の裏面に非透視板を重ね、該非透視板に設けられた複数の開口によってその形状に準じた複数の透視領域を前面透明板に形成することができる。非透視板と別部品として非透視板を製作することにより輪郭が綺麗に仕上げられた開口、即ち、輪郭が綺麗に仕上げられた透視領域を前面透明板に形成することができるので、自動販売機で商品を購入しようとする者が販売可能商品を確認するために透視領域を通じてサンプルシートの表示内容を視認するときに透視領域の輪郭に依存して購買者に対して不快な印象を与えることや購買意欲の低下を招来することを防止できる。
【００１２】
また、前記の非透視板は、従前の塗装に比べて温度，湿度，紫外線等に対する耐性が強く、しかも、前面透明板が叩かれる等して衝撃を受けたときでも割れや欠け等を生じることもないので、透視領域の輪郭を綺麗な状態のまま維持して前記効果を長期に亘って維持することができる。
【発明の効果】
【００１３】
本発明によれば、前面透明板に輪郭が綺麗な透視領域を形成できると共に該透視領域の輪郭を綺麗な状態で維持できる自動販売機を提供することができる。
【００１４】
本発明の前記目的とそれ以外の目的と、構成特徴と、作用効果は、以下の説明と添付図面によって明らかとなる。
【発明を実施するための最良の形態】
【００１５】
図３〜図１１は本発明の一実施形態を示すもので、図３は自動販売機の部分前面図、図４（Ａ）は図３のＡ−Ａ線拡大断面図、図４（Ｂ）は図４（Ａ）からサンプルシートを除外した図、図５は図４（Ｂ）の分解図、図６（Ａ）は図３のＢ−Ｂ線拡大断面図、図６（Ｂ）は図６（Ａ）からサンプルシートを除外した図、図７は商品選択ボタンの斜視図、図８はシート取付具の斜視図、図９はサンプルシートの斜視図、図１０及び図１１はサンプルシートの取付手順を示す説明図である。図中の符号１１は前面透明板、１２は非透視板、１３は商品選択ボタン、１４はシート取付具、１５はサンプルシートである。
【００１６】
前面透明板１１は透明プラスチック等から成り、所定の配列で並べられた複数の張出部１１ａと張出部１１ａ間に位置する格子状の平坦部１１ｂとを備える。各張出部１１ａは幅方向両側に湾曲面を有し幅方向中央に平坦面を有する表面形状を有しており、該表面形状と相似形の窪み１１ａ１（符号無し、以下裏側窪みと言う）を裏側に有する。また、各張出部１１ａの下部には商品選択ボタン用の取付孔１１ａ２が設けられている。
【００１７】
非透視板１２は有色プラスチック等から成り、前面透明板１１の複数の裏側窪み１１ａ１それぞれに整合した複数の開口１２ａを備える。各開口１２ａの下部には、裏側窪み１１ａ１の下部に嵌まり込む嵌合部１２ｂが非透視板１２の他の部分とほぼ等しい肉厚で一体に設けられている。この嵌合部１２ｂの表面形状は裏側窪み１１ａ１と相似形で、裏側窪み１１ａ１の下部に嵌め込んだ状態で裏側窪み１１ａ１の下部に実質的に接触し得る。また、各嵌合部１２ｂには、各張出部１１ａの取付孔１１ａ２と整合する貫通孔１２ｂ１が設けられている。
【００１８】
因みに、この非透視板１２は、有色プラスチックから成る平板を基材としこれを金型を利用して熱プレス加工することによって簡単且つ低コストで得ることができる。この熱プレス加工によれば各開口１２ａの輪郭を綺麗に仕上げることができ、開口縁にバリが残存する場合でもこれを簡単に削り取って所期の輪郭を得ることができる。勿論、非透視板１２は射出成形等のプラスチック成形によって得ることも可能である。
【００１９】
商品選択ボタン１３は本体１３ａと押しボタン１３ｂとを備えている。本体１３ａの前端には環状鍔１３ａ１が設けられ、本体１３ａの周面の上下位置には係合突起１３ａ２が設けられている。
【００２０】
シート取付具１４は金属等から成り、平坦部１４ａと上側屈曲部１４ｂと下側屈曲部１４ｃとを備える。平坦部１４ａには張出部１１ａの取付孔１１ａ２と整合する貫通孔１４ａ１が設けられている。上側屈曲部１４ｂはＬ字形を成し、垂直部分の中央に所定幅の上側切欠き１４ｂ１を有する。下側屈曲部１４ｃはＬ字形を成し、垂直部分の下端中央に前記上側切欠き１４ｂ１と同一幅の下側切欠き１４ｃ１を有する。図４（Ａ）及び図４（Ｂ）から分かるように、上側屈曲部１４ｂの垂直部分と下側屈曲部１４ｃの垂直部分とは同一平面に位置する。
【００２１】
サンプルシート１５は可撓性を有する矩形状プラスチックシートから成り、その表面には商品の写真またはデザイン画が価格や冷温表示等と共に印刷されている。勿論、商品の写真またはデザイン画を表面に印刷し価格や冷温表示等を表面にシールで貼り付けるようにして、シール張り替えによって価格や冷温表示等を変更できるようにしたり、或いは、前記同様のものを印刷した２以上のシールを表面に貼り付けるようにして、シール張り替えによって表示を選択的に変更できるようにしてもよい。
【００２２】
このサンプルシート１５の上辺中央と下辺中央には同一形状の突出片１５ａが一体に設けられている。また、各突出片１５ａの先端中央には差込片１５ａ１が連続して形成され、これにより各差込片１５ａ１の両側には段差１５ａ２が形成されている。各差込片１５ａ１の幅はシート取付具１５の両切欠き１４ｂ１，１４ｃ１の幅よりも僅かに小さい。さらに、各突出片１５ａの基部には各突出片１５ａを折り曲げる際のガイドとなる破線ライン（微細孔を間隔をおいて直線的に形成したもの）１５ｂが形成されている。
【００２３】
前記の非透視板１２，商品選択ボタン１３及びシート取付具１４は予め前面透明板１１に固着されている。非透視板１２及びシート取付具１４を前面透明板１１に取り付けるときには、前面透明板１１の裏面に非透視板１２を重ねて該非透視板１２の嵌合部１２ｂを前面透明板１１の裏側窪み１１ａ１の下部にそれぞれ嵌め込んで貫通孔１２ｂ１を取付孔１１ａ１に合致させると共に、シート取付具１４をその貫通孔１４ａ１が貫通孔１２ｂ１に合致するように嵌合部１２ｂの裏面にあてがう。そして、前面透明板１１の表面側から商品選択ボタン１３の本体１３ａを取付孔１１ａ１，貫通孔１２ｂ１及び貫通孔１４に押し込む。
【００２４】
商品選択ボタン１３の環状鍔１３ａ１の裏面と各係合突起１３ａ２の前端との間隔は、張出部１１ａの肉厚と嵌合部１２ｂの肉厚と平坦部１４ａの肉厚の和とほぼ一致しているので、前記の押し込みにより、商品選択ボタン１３の環状鍔１３ａ１が張出部１１ａの表面に当接したところで係合突起１３ａ２が貫通孔１４ａ１の裏面に係合して、非透視板１２が前面透明板１１に結合し、且つ、シート取付具１４が非透視板１２に結合する。勿論、商品選択ボタン１３は結合後に取り外すことができるので、非透視板１２とシート取付具１４を他のものと交換することも可能である。
【００２５】
固着後のシート取付具１４の上側切欠き１４ｂ１は商品選択ボタン１４が固着された張出部１１ａの裏側窪み１１ａ１に位置し、下側切欠き１４ｃ１はその下側の張出部１１ａの裏側窪み１１ａ１に位置し、両者は張出部１１ａの裏側において上下方向で対を成す。固着後のシート取付具１４の上側切欠き１４ｂ１と裏側窪み１１ａ１の内面との間隔、並びに、下側切欠き１４ｃ１と裏側窪み１１ａ１の内面との間隔は、サンプルシート１５の各突出片１５ａの差込片１５ａ１を除いた上下寸法とほぼ一致している（図６（Ａ）参照）。また、固着後のシート取付具１４の下側切欠き１４ｃ１と該シート取付具１４の下側に設けられたシート取付具１４の上側切欠き１４ｂ１との間隔は、サンプルシート１５の各突出片１５ａを除いた上下寸法とほぼ一致している（図４（Ａ）参照）。
【００２６】
因みに、固着後の非透視板１２，商品選択ボタン１３及びシート取付具１４に寸法公差に依存するガタツキが生じることを未然に防止するには、シート取付具１４の平坦部１４ａの前面にスポンジや軟質ゴムから成る公差吸収材を予め設けておき、これを介してシート取付具１４を嵌合部１２ｂの裏面にあてがうと良い。また、固着後の商品選択ボタン１３と前面透明板１１との間の防水性を高めるには両者の隙間を塞ぐためのリング状シール部材を商品選択ボタン１３の環状鍔１３ａ１の裏側に設けておくと良い。
【００２７】
非透視板１２，商品選択ボタン１３及びシート取付具１４が前面透明板１１に固着された状態では、前面透明板１１の裏面に重ねられた非透視板１２の存在によって前面透明板の各張出部１１ａに開口１２ａの形状に準じた透視領域ＰＰが形成され、それ以外の部分に非透視領域ＵＰＰが形成される。前記の非透視板１２には前面透明板１１の各裏側窪み１１ａ１の下部に嵌合する嵌合部１２ｂが形成されているので、ここでの透視領域ＰＰは開口１２ａから嵌合部１２ｂを除いた部分によって定められることになる。
【００２８】
サンプルシート１５を前面透明板１１の各張出部１１ａの裏側窪み１１ａ１に配するときには、図１０に示すように、サンプルシート１５の上下の突出片１５ａを破線ライン１５ｂに沿って裏側に約９０度折り曲げる。そして、サンプルシート１５の上側突出片１５ａの差込片１５ａ１を図中１点鎖線で示すように上側のシート取付具１４の下側切欠き１５ｃ１に挿入し、続いて、サンプルシート１５を適当に撓ませながらその下側突出片１５ａの差込片１５ａ１を図中１点鎖線で示すように下側のシート取付具１４の上側切欠き１４ｂ１に挿入する。或いは、サンプルシート１５の下側突出片１５ａの差込片１５ａ１を図中１点鎖線で示すように下側のシート取付具１４の上側切欠き１４ｂ１に挿入し、続いて、サンプルシート１５を適当に撓ませながらその上側突出片１５ａの差込片１５ａ１を図中１点鎖線で示すように上側のシート取付具１４の下側切欠き１４ｃ１に挿入する。
【００２９】
シート取付具１４の上側切欠き１４ｂ１と裏側窪み１１ａ１の内面との間隔、並びに、下側切欠き１４ｃ１と裏側窪み１１ａ１の内面との間隔は、サンプルシート１５の各突出片１５ａの差込片１５ａ１を除いた上下寸法とほぼ一致し、しかも、シート取付具１４の下側切欠き１４ｃ１と該シート取付具１４の下側に設けられたシート取付具１４の上側切欠き１４ｂ１との間隔は、サンプルシート１５の各突出片１５ａを除いた上下寸法とほぼ一致しているため、図１１，図４（Ａ）及び図６（Ａ）に示すように、配置後のサンプルシート１５の中央部分は裏側窪み１１ａ１の内面中央に実質的に接触し、また、サンプルシート１５の両側部分は裏側窪み１１ａ１の内面両側の曲率に沿って湾曲し該内面両側に実質的に接触する。つまり、配置後のサンプルシート１５は裏側窪み１１ａ１の内面に沿うように変形していて該内面に実質的に接触する。
【００３０】
約９０度折り曲げられた上下の突出片１５ａは配置後のサンプルシート１５の形態を適正に維持する役目を果たしている。例えば、シート取付具１４の上側切欠き１４ｂ１と張裏側窪み１１ａ１の内面との間隔、並びに、下側切欠き１４ｃ１と裏側窪み１１ａ１の内面との間隔が、サンプルシート１５の各突出片１５ａの差込片１５ａ１を除いた上下寸法よりも小さい場合でも、両者の寸法差を上下の突出片１５ａ自らが湾曲することによって吸収することができる。また、シート取付具１４の下側切欠き１４ｃ１と該シート取付具１４の下側に設けられたシート取付具１４の上側切欠き１４ｂ１との間隔が、サンプルシート１５の各突出片１５ａを除いた上下寸法と異なる場合でも、両者の寸法差を上下の突出片１５ａ自らが湾曲するか或いは折曲角度を変化することによって吸収することができる。
【００３１】
また、サンプルシート１５を交換するときには、サンプルシート１５を適当に撓ませながら上下の差込片１５ａ１を上側のシート取付具１４の下側切欠き１４ｃ１及び下側のシート取付具１４の上側切欠き１４ｂ１から抜いてサンプルシート１５を取り出し、別のサンプルシート１５を前記手順で配置すれば良い。
【００３２】
このように前述の実施形態によれば、前面透明板１１の裏面に非透視板１２を重ね、該非透視板１２に設けられた複数の開口１２ａによってその形状に準じた複数の透視領域ＰＰを前面透明板１１に形成することができる。非透視板１２と別部品として非透視板１２を製作することにより輪郭が綺麗に仕上げられた開口１２ａ、即ち、輪郭が綺麗に仕上げられた透視領域ＰＰを前面透明板１１に形成することができるので、自動販売機で商品を購入しようとする者が販売可能商品を確認するために透視領域ＰＰを通じてサンプルシート５の表示内容を視認するときに透視領域ＰＰの輪郭に依存して購買者に対して不快な印象を与えることや購買意欲の低下を招来することを防止できる。
【００３３】
また、前記の非透視板１２は、従前の塗装に比べて温度，湿度，紫外線等に対する耐性が強く、しかも、前面透明板１１が叩かれる等して衝撃を受けたときでも割れや欠け等を生じることもないので、透視領域ＰＰの輪郭を綺麗な状態のまま維持して前記効果を長期に亘って維持することができる。
【００３４】
さらに、複数の開口１２ａが設けられた非透視板１２を前面透明板１１から取り外すことができるので、サンプルシート１５として異なるサイズのものを使用する場合でも、非透視板１２を該サンプルシート１５のサイズに適合した透視領域ＰＰを形成可能な非透視板１２に交換することにより、サンプルシート１５のサイズ変更に簡単に追従することができる。
【００３５】
さらに、前面透明板１１に取り付けられる商品選択ボタン１３を利用して該前面透明板１１の裏面に重ねた非透視板１２を前面透明板１１に結合することができるので、非透視板１２を前面透明板１１に結合する際に商品選択ボタン１３以外の結合用部品を用いる必要がなく、該結合用部品を用いる場合でもその数を低減してコスト低減を図ることができる。
【００３６】
さらに、幅方向両側に湾曲面を有し幅方向中央に平坦面を有する表面形状の張出部１１ａを所定配列で並べたものを前面透明板１１として採用し、各張出部１１ａの裏側窪み１１ａ１にその内面に沿って実質的に接触するようにサンプルシート１５を配置しているので、前面透明板１１によって従前の自動販売機とは異なる好印象を購買者に与えて販売促進に貢献することができる。また、サンプルシート１５が平面的なものであっても該サンプルシート１５の表示内容を立体に近い状態で表現できるので、この点からも従前の自動販売機とは異なる好印象を購買者に与えて販売促進に貢献することができる。
【００３７】
さらに、非透視板１２の各開口１２ａに裏側窪み１１ａ１の下部にそれぞれ嵌まり込む複数の嵌合部１２ｂを形成してあるので、張出部１２ａを有する前面透明板１２を用いる場合でも、嵌合部１２ｂの大きさによって張出部１２ａに形成される透視領域ＰＰの大きさを調整することができる。
【００３８】
尚、前述の実施形態では、非透視板１２に設けた嵌合部１２ｂによって張出部１１ａに形成される透視領域ＰＰの大きさを調整するものを示したが、張出部１１ａ全体を透視領域ＰＰとする場合には嵌合部１２ｂは非透視板１２から除外してもよい。
【００３９】
また、商品選択ボタン１３を利用して前面透明板１１に非透視板１２とシート取付具１４を結合するものを示したが、シート取付具１４として他の形態のものを使用しこれを非透視板１２等に個別に取り付ける場合には、図１２に示すように、商品選択ボタン１３を前面透明板１１と非透視板１２との結合のみに使用しても良い。
【００４０】
さらに、前面透明板１１の張出部１１ａとして、幅方向両側に湾曲面を有し幅方向中央に平坦面を有する表面形状を有し該表面形状と相似形の窪みを裏側に有するものを示したが、断面形状が弓形や半円形等から成るものを張出部として採用しても良い。
【図面の簡単な説明】
【００４１】
【図１】従前の自動販売機の部分前面図である。
【図２】図１のａ−ａ線拡大縦断面図である。
【図３】本発明の一実施形態を示す自動販売機の部分前面図である。
【図４】図３のＡ−Ａ線拡大断面図と同図からサンプルシートを除外した図である。
【図５】図４（Ｂ）の分解図である。
【図６】図３のＢ−Ｂ線拡大断面図と同図からサンプルシートを除外した図である。
【図７】商品選択ボタンの斜視図である。
【図８】シート取付具の斜視図である。
【図９】サンプルシートの斜視図である。
【図１０】サンプルシートの取付手順を示す説明図である。
【図１１】サンプルシートの取付手順を示す説明図である。
【図１２】図３〜図１１に示した実施形態の変形例を示す縦断面図である。
【符号の説明】
【００４２】
１１…前面透明板、１１ａ…張出部、１１ａ１…裏側窪み、１１ａ２…取付孔、１２…非透視板、１２ａ…開口、１２ｂ…嵌合部、１２ｂ１…貫通孔、１３…商品選択ボタン、１５…サンプルシート、ＰＰ…透視領域、ＵＰＰ…非透視領域。
【図１】
2006285369.tif 000003
【図２】
2006285369.tif 000004
【図３】
2006285369.tif 000005
【図４】
2006285369.tif 000006
【図５】
2006285369.tif 000007
【図６】
2006285369.tif 000008
【図７】
2006285369.tif 000009
【図８】
2006285369.tif 000010
【図９】
2006285369.tif 000011
【図１０】
2006285369.tif 000012
【図１１】
2006285369.tif 000013
【図１２】
2006285369.tif 000014